(57)【要約】【課題】ユニット障子が設けられた障子を容易に組み立てること。【解決手段】外方框１０の外方框材１１，１２，１３，１４には、内枠材２１１，２１２，２１３，２１４に対向する見込み面に係合用開口１１ｂ，１２ｂ，１３ｂ，１４ｂを形成し、外方框１０の外方框材１１，１２，１３と外方框材１１，１２，１３に対応する内枠材２１１，２１２，２１３との間には、外方框材１１，１２，１３及び内枠材２１１，２１２，２１３を互いに長手方向に沿って相対的にスライドすることにより、係合用開口１１ｂ，１２ｂ，１３ｂを介して外方框材１１，１２，１３の内部で着脱可能に係合し、互いに離反する方向の移動を阻止する外方係合片１１ｃ，１２ｃ，１３ｃ及び内方係合片２１１ａ，２１２ａ，２１３ａを構成した。【選択図】図３
2014202000.tif 000002
【特許請求の範囲】
【請求項１】
外方框材を四周組み合わせることによって構成した外方框と、
矩形状を成す面材の四周に内方框材を設けて構成したユニット障子と、
内枠材を四周組み合わせることによって構成し、内周部に前記ユニット障子を支持するとともに、外周部に前記外方框が連結されるユニット枠と
を備えて障子を構成し、前記外方框を介して前記障子を開口枠に支持した建具において、
前記外方框の外方框材及び前記ユニット枠の内枠材の互いに対向する見込み面のいずれか一方には、係合用開口を形成し、
前記外方框の外方框材と前記外方框材に対応する前記内枠材との間には、前記外方框材及び前記内枠材を互いに長手方向に沿って相対的にスライドすることにより着脱可能に係合し、互いに離反する方向の移動を阻止する係合手段を構成したことを特徴とする建具。
【請求項２】
前記外方框の外方框材に前記係合用開口を形成し、
前記係合手段は、
前記外方框材において前記係合用開口の両側縁部に互いに対向する方向に向けて突出した外方係合片と、
前記内枠材において前記外方框材に対向する見込み面に、前記見込み面との間に前記外方係合片を挟持することのできる隙間を確保して設けられ、かつ前記係合用開口よりも大きな幅を有した内方係合片と
を備えて構成したものであり、前記外方框材及び前記内枠材を互いに長手方向に沿って相対的にスライドさせ、前記内方係合片と前記内枠材の見込み面との間に前記外方框材の外方係合片を配置することにより、互いに離反する方向の移動を阻止することを特徴とする請求項１に記載の建具。
【請求項３】
前記外方框の外方框材に前記係合用開口を形成し、
前記外方框材の内部には、少なくとも前記係合用開口に対向する面が開口した補強材を配設したことを特徴とする請求項１に記載の建具。
【請求項４】
前記内枠材において前記外方框材の係合用開口に対向する部位には、前記係合用開口を介して前記外方框材の内部に挿入され、前記外方框材との間に収容部を構成する突出ヒレ部を設け、
前記補強材において前記内枠材に向けて突出する縁部を前記収容部に配置したことを特徴とする請求項３に記載の建具。
【請求項５】
前記内枠材のそれぞれは前記外方框材の外表面に重なる取付ヒレ部を有し、かつそれぞれの取付ヒレ部と前記外方框との間に一連のシール材を介在させた状態で前記外方框材に取り付けたことを特徴とする請求項１に記載の建具。
【請求項６】
前記ユニット枠には、各外方框材の内周側に位置する見付け面を覆うようにカバー部を設けたことを特徴とする請求項１に記載の建具。
【請求項７】
前記係合手段は、前記外方框の上方及び左右に位置する三方の外方框材と、前記ユニット枠の対応する内枠材との間に設けたことを特徴とする請求項１に記載の建具。
【請求項８】
請求項３または請求項４に記載の建具を組み立てる方法であって、
前記ユニット枠に前記ユニット障子を支持させることによって前記内方障子ユニットを構成する工程と、
予め前記外方框材の内部に前記補強材を配設した状態で、前記係合手段を介して前記外方框材を前記ユニット枠の対応する内枠材に係合させることにより前記外方框を構成する工程と
を含むことを特徴とする建具の組立方法。
【請求項９】
請求項１〜請求項７のいずれか一つに記載の建具を組み立てる方法であって、
前記ユニット枠に前記ユニット障子を支持させることによって前記内方障子ユニットを構成する工程と、
前記内方障子ユニットの上方に位置する内枠材に対して対応する外方框材を係合させた後、前記内方障子ユニットの左右に位置する内枠材に対してそれぞれ外方框材を係合させ、前記内方障子ユニットの下端から突出する一対の外方框材の間に下方の外方框材を挿入して前記外方框を構成することを特徴とする建具の組立方法。
【発明の詳細な説明】
【技術分野】
【０００１】
本発明は、建具及び建具の組立方法に関するものである。
【背景技術】
【０００２】
建具の障子には、通風ドアのように、外方框材を四周組み合わせることによって構成した外方框の内部にユニット障子を備えたものがある。ユニット障子は、矩形状を成す面材の四周に内方框材を設けて構成されており、ユニット枠を介して外方框に取り付けられている。この種の建具では、開口枠に対して障子を閉めた状態であっても、ユニット枠に対してユニット障子を移動させることにより、障子に通風機能を追加できるようになる（例えば、特許文献１参照）。
【先行技術文献】
【特許文献】
【０００３】
【特許文献１】特開平１１−８１８０５号公報
【発明の概要】
【発明が解決しようとする課題】
【０００４】
ところで、上述のように、外方框の内部にユニット枠及びユニット障子を備えた建具の障子にあっては、部品点数がきわめて多くなり、組立作業が煩雑になる。特に、昨今においては、防火性能を向上させる要求があり、外方框材の内部に補強材を配設する場合があるため、組立作業が一層煩雑化する恐れがある。
【０００５】
本発明は、上記実情に鑑みて、ユニット障子が設けられた障子を容易に組み立てることのできる建具及び建具の組立方法を提供することを目的とする。
【課題を解決するための手段】
【０００６】
上記目的を達成するため、本発明に係る建具は、外方框材を四周組み合わせることによって構成した外方框と、矩形状を成す面材の四周に内方框材を設けて構成したユニット障子と、内枠材を四周組み合わせることによって構成し、内周部に前記ユニット障子を支持するとともに、外周部に前記外方框が連結されるユニット枠とを備えて障子を構成し、前記外方框を介して前記障子を開口枠に支持した建具において、前記外方框の外方框材及び前記ユニット枠の内枠材の互いに対向する見込み面のいずれか一方には、係合用開口を形成し、前記外方框の外方框材と前記外方框材に対応する前記内枠材との間には、前記外方框材及び前記内枠材を互いに長手方向に沿って相対的にスライドすることにより着脱可能に係合し、互いに離反する方向の移動を阻止する係合手段を構成したことを特徴とする。
【０００７】
この発明によれば、外方框材及び内枠材を互いに長手方向に沿って相対的にスライドすることで係合手段が係合し、外方框材及び内枠材の互いに離反する方向の移動を阻止することができる。
【０００８】
また、本発明は、上述した建具において、前記外方框の外方框材に前記係合用開口を形成し、前記係合手段は、前記外方框材において前記係合用開口の両側縁部に互いに対向する方向に向けて突出した外方係合片と、前記内枠材において前記外方框材に対向する見込み面に、前記見込み面との間に前記外方係合片を挟持することのできる隙間を確保して設けられ、かつ前記係合用開口よりも大きな幅を有した内方係合片とを備えて構成したものであり、前記外方框材及び前記内枠材を互いに長手方向に沿って相対的にスライドさせ、前記内方係合片と前記内枠材の見込み面との間に前記外方框材の外方係合片を配置することにより、互いに離反する方向の移動を阻止することを特徴とする。
【０００９】
この発明によれば、内枠材の見込み面と、これに設けた内方係合片との間に外方框材の外方係合片を配置することによって外方框材及び内枠材の互いに離反する方向の移動が阻止される。
【００１０】
また、本発明は、上述した建具において、前記外方框の外方框材に前記係合用開口を形成し、前記外方框材の内部には、少なくとも前記係合用開口に対向する面が開口した補強材を配設したことを特徴とする。
【００１１】
この発明によれば、係合手段による外方框材と内枠材との係合状態に影響を与えることなく外方框材の内部に補強材を配設することができ、防火性能の向上を図ることができる。
【００１２】
また、本発明は、上述した建具において、前記内枠材において前記外方框材の係合用開口に対向する部位には、前記係合用開口を介して前記外方框材の内部に挿入され、前記外方框材との間に収容部を構成する突出ヒレ部を設け、前記補強材において前記内枠材に向けて突出する縁部を前記収容部に配置したことを特徴とする。
【００１３】
この発明によれば、補強材の縁部の間に内枠材の突出ヒレ部が配置されることになり、補強材に突出ヒレ部が当接することで外方框に対するユニット枠の移動が阻止される。
【００１４】
また、本発明は、上述した建具において、前記内枠材のそれぞれは前記外方框材の外表面に重なる取付ヒレ部を有し、かつそれぞれの取付ヒレ部と前記外方框との間に一連のシール材を介在させた状態で前記外方框材に取り付けたことを特徴とする。
【００１５】
この発明によれば、外方框とユニット枠との間に介在させたシール材によってこれら外方框及びユニット枠の間の水密性や気密性を確保することができる。
【００１６】
また、本発明は、上述した建具において、前記ユニット枠には、各外方框材の内周側に位置する見付け面を覆うようにカバー部を設けたことを特徴とする。
【００１７】
この発明によれば、外方框の内周側に位置する見付け面がカバー部材によって覆われるため、外方框に対する防火性能を向上させることができる。
【００１８】
また、本発明は、上述した建具において、前記係合手段は、前記外方框の上方及び左右に位置する三方の外方框材と、前記ユニット枠の対応する内枠材との間に設けたことを特徴とする。
【００１９】
この発明によれば、ユニット枠の三方に外方框材を係合させた状態で外方框の下方に位置する外方框材を組み立てることができる。
【００２０】
また、本発明は、上述した建具を組み立てる方法であって、前記ユニット枠に前記ユニット障子を支持させることによって前記内方障子ユニットを構成する工程と、予め前記外方框材の内部に前記補強材を配設した状態で、前記係合手段を介して前記外方框材を前記ユニット枠の対応する内枠材に係合させることにより前記外方框を構成する工程とを含むことを特徴とする。
【００２１】
この発明によれば、外方框材の組み立てと同時に補強材の組み立てを行うことができる。
【００２２】
また、本発明は、上述した建具を組み立てる方法であって、前記ユニット枠に前記ユニット障子を支持させることによって前記内方障子ユニットを構成する工程と、前記内方障子ユニットの上方に位置する内枠材に対して対応する外方框材を係合させた後、前記内方障子ユニットの左右に位置する内枠材に対してそれぞれ外方框材を係合させ、前記内方障子ユニットの下端から突出する一対の外方框材の間に下方の外方框材を挿入して前記外方框を構成することを特徴とする。
【００２３】
この発明によれば、ユニット枠の三方に外方框材を係合させた状態で外方框の下方に位置する外方框材を組み立てることができる。
【発明の効果】
【００２４】
本発明によれば、外方框材及び内枠材を互いに長手方向に沿って相対的にスライドすることで係合手段が係合し、外方框材及び内枠材の互いに離反する方向の移動を阻止することができる。このため、外方框材と内枠材との間をネジ部材によって連結させる場合に両者を押えておく必要がない等、組立作業を容易化することができるようになる。
【図面の簡単な説明】
【００２５】
【図１】図１は、本発明の実施の形態である建具を室外側から見た図である。
【図２】図２は、図１に示した建具の縦断面図である。
【図３】図３は、図１に示した建具の横断面図である。
【図４】図４は、図１に示した建具の要部を示す拡大縦断面図である。
【図５】図５は、図１に示した建具の要部を示す拡大横断面図である。
【図６】図６は、図１に示した建具の要部を示す拡大縦断面図である。
【図７】図７は、図１に示した建具において左右の外方框材と左右の内枠材との間に設けた係合手段を示す分解斜視図である。
【図８】図８は、図１に示した建具の組み立て手順を示す図である。
【発明を実施するための形態】
【００２６】
以下、添付図面を参照しながら本発明に係る建具及び建具の組立方法の好適な実施の形態について詳細に説明する。
【００２７】
図１〜図３は、本発明の実施の形態である建具を示したものである。ここで例示する建具は、勝手口用のドアとして用いられるもので、外方框１０及び内方障子ユニット２０を備えて障子１が構成してある。
【００２８】
外方框１０は、障子１の最外周に配置されるもので、左右一対の外方框材１１，１２の上下両端部間にそれぞれ上下一対の外方框材１３，１４を配置することによって矩形状に構成してある。図２及び図３に示すように、外方框材１１，１２，１３，１４は、アルミニウムやアルミニウム合金等の金属によって成形した金属部分１１Ｍ，１２Ｍ，１３Ｍ，１４Ｍと、合成樹脂材によって成形した樹脂部分１１Ｐ，１２Ｐ，１３Ｐ，１４Ｐとを組み合わせて成る複合部材であり、外方框１０の室内側に位置する見付け面がそれぞれ樹脂部分１１Ｐ，１２Ｐ，１３Ｐ，１４Ｐによって覆われるように構成してある。図２及び図３からも明らかなように、外方框材１１，１２，１３，１４の金属部分１１Ｍ，１２Ｍ，１３Ｍ，１４Ｍは、樹脂部分１１Ｐ，１２Ｐ，１３Ｐ，１４Ｐよりも大きな見込み寸法を有するように成形してあり、個々の内部に中空部１１ａ，１２ａ，１３ａ，１４ａを有している。中空部１１ａ，１２ａ，１３ａ，１４ａは、外方框材１１，１２，１３，１４の両端にのみ開口する空間である。それぞれの中空部１１ａ，１２ａ，１３ａ，１４ａには、ほぼ全長に渡る部位にメイン補強用プレート３１，３２，３３，３４が配設してある。メイン補強用プレート３１，３２，３３，３４は、外方框材１１，１２，１３，１４の金属部分１１Ｍ，１２Ｍ，１３Ｍ，１４Ｍを構成するアルミニウムやアルミニウム合金よりも融点の高い金属、例えばステンレスや鋼材によって成形したもので、室内側に位置する部分を除く外方框材１１，１２，１３，１４の三方の内面を覆うように配設してある。
【００２９】
また、外方框材１１，１２，１３，１４には、内周側の見込み面に係合用開口１１ｂ，１２ｂ，１３ｂ，１４ｂ及び一対の外方係合片１１ｃ，１２ｃ，１３ｃ，１４ｃが設けてある。係合用開口１１ｂ，１２ｂ，１３ｂ，１４ｂは、外方框材１１，１２，１３，１４の金属部分１１Ｍ，１２Ｍ，１３Ｍ，１４Ｍ及び樹脂部分１１Ｐ，１２Ｐ，１３Ｐ，１４Ｐのそれぞれから内周側に向けて係合用ヒレ部１１ｄ，１２ｄ，１３ｄ，１４ｄを突出することによって互いの間に構成される空間である。外方係合片１１ｃ，１２ｃ，１３ｃ，１４ｃは、係合用ヒレ部１１ｄ，１２ｄ，１３ｄ，１４ｄの突出端部から互いに対向する方向に向けて突出した部分である。
【００３０】
外方框材１１，１２，１３，１４の係合用開口１１ｂ，１２ｂ，１３ｂ，１４ｂには、個々の内部にユニット補強用プレート（補強材）４１，４２，４３，４４が配設してある。ユニット補強用プレート４１，４２，４３，４４は、メイン補強用プレート３１，３２，３３，３４と同様、外方框材１１，１２，１３，１４の金属部分１１Ｍ，１２Ｍ，１３Ｍ，１４Ｍを構成するアルミニウムやアルミニウム合金よりも融点の高いステンレスや鋼材によって成形したものである。左右の外方框材１１，１２及び下方の外方框材１４に配設したユニット補強用プレート４１，４２，４４は、係合用開口１１ｂ，１２ｂ，１４ｂに対向する部分を除く外方框材１１，１２，１４の三方の内面を覆うように配設してある。上方の外方框材１３に配設したユニット補強用プレート４３は、係合用開口１３ｂに対向する部分及び室外側に位置する部分を除く外方框材１３の二方の内面を覆うように配設してある。それぞれのユニット補強用プレート４１，４２，４３，４４は、外方框材１１，１２，１３，１４を介してメイン補強用プレート３１，３２，３３，３４に固定ネジ部材４５を螺合することによりメイン補強用プレート３１，３２，３３，３４に連結してある。
【００３１】
図４〜図６の拡大図に示すように、ユニット補強用プレート４１，４２，４３，４４は、係合用開口１１ｂ，１２ｂ，１３ｂ，１４ｂを塞ぐことがないように、内周側に向けて突出した縁部４１ａ，４２ａ，４３ａ，４４ａの端面がいずれも外方係合片１１ｃ，１２ｃ，１３ｃ，１４ｃに対向するように設けてある。図４及び図５に示すように、左右の外方框材１１，１２及び下方の外方框材１４に配設したユニット補強用プレート４１，４２，４４については、それぞれ両側縁部４１ａ，４２ａ，４４ａの端面が外方係合片１１ｃ，１２ｃ，１４ｃに近接するように配設してある。これに対して上方の外方框材１３に配設したユニット補強用プレート４３については、図６に示すように、内周側に突出した縁部４３ａの端面と外方係合片１３ｃとの間に隙間を確保した状態で外方框材１３に取り付けてある。また、図４に示すように、下方の外方框材１４に設けた外方係合片１４ｃは、個々の突出端面の間の距離がユニット補強用プレート４４の開口寸法とほぼ同じとなるように形成してある。これに対して、図５に示すように、左右の外方框材１１，１２に設けた外方係合片１１ｃ，１２ｃは、個々の突出端面がユニット補強用プレート４１，４２の開口端面よりも内方に位置するように形成してある。
【００３２】
内方障子ユニット２０は、図１〜図３に示すように、外方框１０の内部に配置されるもので、ユニット枠２１０と、ユニット枠２１０の内部に配設したユニット障子２２０とを備えている。ユニット障子２２０は、矩形状を成す面材２２５の四周に内方框材２２１，２２２，２２３，２２４を設けて構成したものである。本実施の形態では、ユニット枠２１０の室外側に上下動可能に配設した外ユニット障子２２０と、ユニット枠２１０の室内側に上下動可能に配設した内ユニット障子２２０とを備えた、いわゆる上げ下げ窓と称される内方障子ユニット２０を例示している。また、本実施の形態では、ユニット障子を構成する内方框材２２１，２２２，２２３，２２４の一部に合成樹脂製の枠カバー２２６が設けてある。具体的には、内ユニット障子２２０の上方に位置する内方框材２２３に対しては、室内側に位置する見付け面と上方側の見込み面にそれぞれ枠カバー２２６が設けてある。外ユニット障子２２０の左右に位置する内方框材２２１，２２２に対しては、それぞれ室内側に位置する見付け面に枠カバー２２６が設けてある。
【００３３】
外ユニット障子２２０及び内ユニット障子２２０を支持するユニット枠２１０は、左右一対の内枠材２１１，２１２及び上下一対の内枠材２１３，２１４によって矩形状に構成したもので、個々の内枠材２１１，２１２，２１３，２１４の外周部を外方框材１１，１２，１３，１４の内周部に連結することによって外方框１０に取り付けてある。内枠材２１１，２１２，２１３，２１４は、外方框材１１，１２，１３，１４よりも大きな見込み寸法を有しており、外方框材１１，１２，１３，１４の室内側に位置する見付け面及び室外側に位置する見付け面からそれぞれ突出した状態で外方框材１１，１２，１３，１４に連結してある。本実施の形態で例示する内枠材２１１，２１２，２１３，２１４は、上述した外方框材１１，１２，１３，１４と同様、アルミニウムやアルミニウム合金等の金属によって成形した金属部分２１１Ｍ，２１２Ｍ，２１３Ｍ，２１４Ｍと、合成樹脂材によって成形した樹脂部分２１１Ｐ，２１２Ｐ，２１３Ｐ，２１４Ｐとを組み合わせて成る複合部材であり、ユニット枠２１０の室内側に位置する見付け面がそれぞれ樹脂部分２１１Ｐ，２１２Ｐ，２１３Ｐ，２１４Ｐによって覆われるように構成してある。さらに、内枠材２１１，２１２，２１３，２１４の樹脂部分２１１Ｐ，２１２Ｐ，２１３Ｐ，２１４Ｐは、見付け面を超えて外周側及び内周側にそれぞれ突出しており、外方框材１１，１２，１３，１４の内周側に位置する室内側の見付け面を覆うとともに、ユニット障子２２０の室内側に位置する見付け面を覆っている。
【００３４】
図５及び図６に示すように、左右の内枠材２１１，２１２及び上方の内枠材２１３は、外周側に位置する見込み面に一対の内方係合片２１１ａ，２１２ａ，２１３ａを備えており、内方係合片２１１ａ，２１２ａ，２１３ａを外方框材１１，１２，１３，１４の外方係合片１１ｃ，１２ｃ，１３ｃ，１４ｃに係合させることによって外方框材１１，１２，１３，１４に着脱可能に連結してある。内方係合片２１１ａ，２１２ａ，２１３ａは、内枠材２１１，２１２，２１３，２１４の外周側に位置する見込み面との間に外方係合片１１ｃ，１２ｃ，１３ｃ，１４ｃを挟持することができる間隙を確保して設けたもので、図７に示すように、左右の内枠材２１１，２１２については係合ブラケット２３０を取り付けることによって構成してあり、図６に示すように、上方の内枠材２１３については内枠材２１３に一体に構成してある。
【００３５】
係合ブラケット２３０は、図７に示すように、基準となるベース部２３１の両側縁部に一対の突条片２３２を有したもので、突条片２３２が左右となる姿勢でベース部２３１を介して内枠材２１１，２１２に取り付けてある。一対の突条片２３２は、外方框材１１，１２の係合用開口１１ｂ，１２ｂに挿通することができる幅を持って突出した後、個々の突出端部が互いに離隔する方向に屈曲しており、これらの屈曲した部分が上述の内方係合片２１１ａ，２１２ａを構成している。内方係合片２１１ａ，２１２ａの突出端部間距離は、係合用開口１１ｂ，１２ｂよりも大きな幅に形成してある。図７に示すように、左右の外方框材１１，１２には、外方係合片１１ｃ，１２ｃの一部に内方係合片２１１ａ，２１２ａを挿通することができる挿通用切欠１１ｅ，１２ｅが設けてある。従って、外方框材１１，１２の挿通用切欠１１ｅ，１２ｅを介して、内枠材２１１，２１２の係合ブラケット２３０を挿通させ、その状態のまま互いに長手方向に沿って外方框材１１，１２及び内枠材２１１，２１２を相対的にスライドさせると、係合ブラケット２３０の内方係合片２１１ａ，２１２ａと内枠材２１１，２１２の外周側に位置する見込み面との間に外方係合片１１ｃ，１２ｃが配置されることになり、外方框材１１，１２及び内枠材２１１，２１２の互いに離反する方向の移動が阻止されることになる。上述したように、左右の外方框材１１，１２については、外方係合片１１ｃ，１２ｃの突出端面がユニット補強用プレート４１，４２の両側縁部４１ａ，４２ａよりも内方に位置するように形成してあるため、係合ブラケット２３０の内方係合片２１１ａ，２１２ａがユニット補強用プレート４１，４２に干渉することはない。
【００３６】
一方、上方の内枠材２１３には、図６に示すように、外周側に位置する見込み面の全長に渡る部位に一対の突条片２１３ｂが一体に設けてある。突条片２１３ｂの突出端部は、互いに離反する方向に向けて屈曲しており、上方の内枠材２１３に内方係合片２１３ａを構成している。一対の突条片２１３ｂは、外方框材１３の係合用開口１３ｂに挿通することができる幅に形成してある一方、一対の内方係合片２１３ａは、係合用開口１３ｂよりも大きな幅を有するように構成してある。この上方の内枠材２１３については、その端面に外方框材１３の端面を対向させ、一対の突条片２１３ｂが係合用開口１３ｂに挿入されるように互いに長手方向にスライドさせると、内枠材２１３の内方係合片２１３ａと内枠材２１３の外周側に位置する見込み面との間に外方係合片１３ｃが配置されることになり、外方框材１３及び内枠材２１３の互いに離反する方向の移動が阻止されることになる。上方の外方框材１３については、ユニット補強用プレート４３の縁部４３ａと外方係合片１３ｃとの間に隙間が確保してあるため、内方係合片２１３ａがユニット補強用プレート４３に干渉することはない。
【００３７】
また、ユニット枠２１０を構成するそれぞれの内枠材２１１，２１２，２１３，２１４には、取付ヒレ部２１１ｃ，２１２ｃ，２１３ｃ，２１４ｃが設けてあり、さらに左右の内枠材２１１，２１２及び下方の内枠材２１４には、それぞれ外周側に位置する見込み面に一対の突出ヒレ部２１１ｄ，２１２ｄ，２１４ｄが設けてある。取付ヒレ部２１１ｃ，２１２ｃ，２１３ｃ，２１４ｃは、外方框材１１，１２，１３，１４の内周側に位置する室外側の見付け面に重ね合わされる部分であり、外方框材１１，１２，１３，１４の見付け面との間にシール材２４０を介在させた状態で外方框材１１，１２，１３，１４に取り付けてある。図には明示していないが、取付ヒレ部２１１ｃ，２１２ｃ，２１３ｃ，２１４ｃと外方框材１１，１２，１３，１４との間に介在するシール材２４０は、外方框１０の全周に渡って一連となるように連続したもので、圧縮された状態で配設してある。突出ヒレ部２１１ｄ，２１２ｄ，２１４ｄは、外方框材１１，１２，１４の係合用開口１１ｂ，１２ｂ，１４ｂを介して外方框材１１，１２，１４の内部に挿入され、外方框材１１，１２，１４との間にユニット補強用プレート４１，４２，４４の２つの縁部４１ａ，４２ａ，４４ａを収容するための収容部２１１ｅ，２１２ｅ，２１４ｅを構成する部分である。
【００３８】
尚、図中の符号３００は、ユニット枠２１０を介して内方障子ユニット２０に固定された格子枠である。この格子枠３００は、内方障子ユニット２０の室外側に位置する部分及び外方框材１１，１２，１３，１４の内周側に位置する室外側の見付け面を覆うように、内方障子ユニット２０よりも大きな外形寸法を有するように構成してある。また、図中の符号４００は、膨張黒鉛等の加熱発泡材である。
【００３９】
図８は、上述した建具の障子１を組み立てる手順を示した概略図である。図８の（ａ）に示すように、まず、内枠材２１１，２１２，２１３，２１４を四周組み立ててユニット枠２１０を構成し、図８の（ｂ）に示すように、ユニット枠２１０の内部に外ユニット障子２２０及び内ユニット障子２２０を支持させる。
【００４０】
次いで、図８の（ｃ）に示すように、上方の内枠材２１３に対して外方框材１３を長手方向にスライドさせることにより、内枠材２１３の内方係合片２１３ａと内枠材２１３の外周側に位置する見込み面との間に外方係合片１３ｃを配置させ、上方の内枠材２１３と上方の外方框材１３とを互いに係合させる。
【００４１】
この状態から、図８の（ｄ）に示すように、左右の内枠材２１１，２１２に対してそれぞれ外方框材１１，１２を長手方向にスライドさせることにより、係合ブラケット２３０の内方係合片２１１ａ，２１２ａと内枠材２１１，２１２の外周側に位置する見込み面との間に外方係合片１１ｃ，１２ｃを配置させ、左右の内枠材２１１，２１２と左右の外方框材１１，１２とを互いに係合させる。
【００４２】
上記のようにしてユニット枠２１０の三方に外方框材１１，１２，１３を係合させた状態においては、それぞれの内枠材２１１，２１２，２１３に対して外方框材１１，１２，１３が離反する方向に移動することがない。従って、その後、図８の（ｅ）に示すように、ユニット枠２１０の下端から突出する左右の外方框材１１，１２の間に下方の外方框材１４を挿入し、四周の外方框材１１，１２，１３，１４をネジ部材Ｂで連結する際にユニット枠２１０と外方框材１１，１２，１３，１４との間を押えておく必要がなく、組み立てる部品の数は多いものの、組立作業を容易に行うことができる。しかも、外方框材１１，１２，１３，１４の内部に予めユニット補強用プレート４１，４２，４３を配設していた状態であっても、外方框材１１，１２，１３と内枠材２１１，２１２，２１３とを相対的にスライドさせる際にユニット補強用プレート４１，４２，４３が邪魔になることがない。このため、外方框材１１，１２，１３，１４を組み立てた時点でユニット補強用プレート４１，４２，４３，４４及びメイン補強用プレート３１，３２，３３，３４を内蔵した外方框１０を構成することができ、障子１の組立作業を煩雑化することなく、防火性能に優れた建具を提供することが可能となる。
【００４３】
特に、図４及び図５に示すように、下方の内枠材２１４及び左右の内枠材２１１，２１２については、ユニット補強用プレート４１，４２，４４の縁部４１ａ，４２ａ，４４ａの間に内枠材２１１，２１２，２１４の突出ヒレ部２１１ｄ，２１２ｄ，２１４ｄが配置されることになり、ユニット補強用プレート４１，４２，４４に突出ヒレ部２１１ｄ，２１２ｄ，２１４ｄが当接することで外方框１０に対するユニット枠２１０の移動が阻止されるため、火災時等において高温に晒されたとしても外方框１０から内方障子ユニット２０が脱落する事態を防止することが可能となる。さらに、ユニット補強用プレート４１，４２，４３，４４を配設した外方框材１１，１２，１３，１４の内周側の見付け面がユニット枠２１０の取付ヒレ部２１１ｃ，２１２ｃ，２１３ｃ，２１４ｃや樹脂部分２１１Ｐ，２１２Ｐ，２１３Ｐ，２１４Ｐによって覆われた状態となるため、防火性能を向上する上でさらに有利となる。
【００４４】
上記のように組み立てられた障子１は、図１に示すように、外方框１０を介して開口枠２に開閉可能に支持され、勝手口のドアを構成する。
【００４５】
尚、上述した実施の形態では、勝手口用のドアを例示しているが、その他の建具にももちろん適用することが可能である。また、内方障子ユニットとして上げ下げ窓を備えた建具を例示しているが、内方障子ユニットは必ずしも上げ下げ窓である必要はなく、複数のユニット障子を備えるものである必要もない。さらに、外方框１０及びユニット枠２１０として金属と合成樹脂との複合部材から成るものを例示しているが、必ずしも複合部材から成るものである必要はなく、アルミニウムやアルミニウム合金等の金属のみから成るものや合成樹脂材のみから成るものにも適用することは可能である。またさらに、左右一対の外方框材１１，１２の上下両端部間にそれぞれ上下一対の外方框材１３，１４を配置することによって外方框１０が構成されるものを例示しているが、上下一対の外方框材１３，１４の両端部間にそれぞれ左右一対の外方框材１１，１２を配置することによって外方框１０が構成されるものであっても良いし、外方框材１１，１２，１３，１４の端部をそれぞれ４５°の傾斜面で接合することによって外方框１０を構成するものであっても構わない。
【００４６】
また、上述した実施の形態では、外方框１０とユニット枠２１０の三方に係合手段を設けたものを例示しているが、係合手段は少なくとも外方框１０とユニット枠２１０の一つにあれば良い。
【００４７】
さらに、上述した実施の形態では、外方框１０とユニット枠２１０との間に介在させたシール材２４０によってこれら外方框１０及びユニット枠２１０の間の水密性や気密性を確保することができるが、必ずしも外方框１０とユニット枠２１０との間にシール材２４０を配設する必要はなく、その他の箇所で水密性や気密性を確保するようにしても良い。
【００４８】
またさらに、上述した実施の形態では、外方框材１１，１２，１３，１４の見込み面に係合用開口１１ｂ，１２ｂ，１３ｂ，１４ｂを形成するとともに、係合用開口１１ｂ，１２ｂ，１３ｂ，１４ｂの内部に補強材であるユニット補強用プレート４１，４２，４３，４４を配設するようにしているが、ユニット補強用プレート４１，４２，４３，４４は必ずしも設ける必要はなく、係合用開口をユニット枠２１０の内枠材２１１，２１２，２１３，２１４に形成しても良い。
【符号の説明】
【００４９】
１      障子、２      開口枠、１０      外方框、１１，１２，１３，１４      外方框材、１１ｂ，１２ｂ，１３ｂ，１４ｂ      係合用開口、１１ｃ，１２ｃ，１３ｃ，１４ｃ      外方係合片、２０      内方障子ユニット、４１，４２，４３，４４      ユニット補強用プレート、４１ａ，４２ａ，４３ａ，４４ａ      ユニット補強用プレートの縁部、２１０      ユニット枠、２１１，２１２，２１３，２１４      内枠材、２１１ａ，２１２ａ，２１３ａ      内方係合片、２１１ｃ，２１２ｃ，２１３ｃ，２１４ｃ      取付ヒレ部、２１１ｄ，２１２ｄ，２１４ｄ      突出ヒレ部、２１１ｅ，２１２ｅ，２１４ｅ      収容部、２２０      ユニット障子、２２１，２２２，２２３，２２４      内方框材、２３０      係合ブラケット、２４０      シール材
【図１】
2014202000.tif 000003
【図２】
2014202000.tif 000004
【図３】
2014202000.tif 000005
【図４】
2014202000.tif 000006
【図５】
2014202000.tif 000007
【図６】
2014202000.tif 000008
【図７】
2014202000.tif 000009
【図８】
2014202000.tif 000010